(57)【要約】      （修正有）【課題】空気調和装置に設けられる複数のダクト接続口から流出させる空気の間で生じ得る温度及び湿度のばらつきを、大型化を要求しない簡易的な構成で抑制する空気調和装置を提供する。【解決手段】空気調和装置は、空気通流路と、空気通流路内の空気を温度調節する温度調節部と、空気通流路内に蒸気を供給可能な加湿器と、空気通流路の下流側開口に接続される吸込み口を有するとともに、吸込み口から吸い込まれた空気を吐出する吐出口６Ｂを有する送風機６と、吐出口６Ｂに接続される連通口７Ａを有するとともに、ダクトを接続可能に構成され且つ吐出口６Ｂからの空気をダクトを介して外部へ流出させるための複数のダクト接続口を有するチャンバ７と、チャンバ７内に設けられ、吐出口６Ｂを通過する空気の流れ方向に沿って見た場合に、吐出口６Ｂの少なくとも一部に重なる邪魔板部８と、を備えている。【選択図】図４
2018132233.tif 000002
【特許請求の範囲】
【請求項１】
空気を通流させる空気通流路と、
前記空気通流路内の空気を温度調節する温度調節部と、
前記空気通流路内に蒸気を供給可能な加湿器と、
前記空気通流路の下流側開口に接続される吸込み口を有するとともに、前記吸込み口から吸い込まれた空気を吐出する吐出口を有する送風機と、
前記吐出口に接続される連通口を有するとともに、ダクトを接続可能に構成され且つ前記吐出口からの空気をダクトを介して外部へ流出させるための複数のダクト接続口を有するチャンバと、
前記チャンバ内に設けられ、前記吐出口を通過する空気の流れ方向に沿って見た場合に、前記吐出口の少なくとも一部に重なる邪魔板部と、を備えている、ことを特徴とする空気調和装置。
【請求項２】
前記邪魔板部は、前記吐出口を通過する空気の流れ方向に対して斜めに交差する方向に沿って延びている、ことを特徴とする請求項１に記載の空気調和装置。
【請求項３】
前記邪魔板部は、厚み方向に貫通する空気通過口を有するとともに、その外周縁の全体と前記チャンバの内周面との間が気密状態となるように、前記チャンバ内に設けられている、ことを特徴とする請求項２に記載の空気調和装置。
【請求項４】
前記空気通過口は、前記吐出口を通過する空気の流れ方向に沿って見た場合に、一部分が前記吐出口に重なり、他の部分が前記吐出口に重ならないように設けられている、ことを特徴とする請求項３に記載の空気調和装置。
【請求項５】
前記空気通過口は、前記吐出口を通過する空気の流れ方向に沿って見た場合に、前記吐出口と重ならない位置に設けられている、ことを特徴とする請求項３に記載の空気調和装置。
【請求項６】
前記空気通過口は、前記邪魔板部の前記吐出口に近い側の端部よりも遠い側の端部に近い位置に設けられている、ことを特徴とする請求項３乃至５のいずれかに記載の空気調和装置。
【請求項７】
前記送風機は、羽根車と、前記羽根車を収容し且つ前記吸込み口を前記羽根車の軸方向に沿って貫通させるスパイラルケーシング部と、前記スパイラルケーシング部から延び、その先端に前記吐出口を有するダクト部と、を備える遠心送風機であり、
前記ダクト部は、前記スパイラルケーシング部の渦巻き状の内周面の巻き始め部及び巻き終わり部に接続されており、
前記邪魔板部は、前記羽根車の軸方向に沿って見た場合に、その前記巻き始め部側の端部が、その反対側の端部よりも前記吐出口に近くなるように傾斜している、ことを特徴とする請求項２乃至６のいずれかに記載の空気調和装置。
【請求項８】
前記空気通流路、前記温度調節部、前記加湿器、及び前記送風機は、筐体の内部に収容されており、
前記チャンバは、前記筐体の内部に収容され且つ前記連通口が設けられる上流側半体と、前記筐体の外部に配置される下流側半体と、を有し、
前記ダクト接続口は、前記下流側半体に設けられている、ことを特徴とする請求項１乃至７のいずれかに記載の空気調和装置。
【請求項９】
前記邪魔板部は、前記チャンバにおける前記連通口の周縁部に固定され、前記邪魔板部のうちの少なくとも前記吐出口と重なる部分は、前記吐出口を通過する空気の流れ方向に対して直交する方向に沿って延びている、ことを特徴とする請求項１に記載の空気調和装置。
【請求項１０】
前記チャンバにおける前記連通口の周縁部に、前記邪魔板部を取り付けるための複数の取り付け部が間隔を空けて設けられている、ことを特徴とする請求項９に記載の空気調和装置。
【請求項１１】
前記邪魔板部は、前記連通口の周縁部の全周を覆うように固定されたパンチングプレートにより構成されている、ことを特徴とする請求項９に記載の空気調和装置。
【発明の詳細な説明】
【技術分野】
【０００１】
本発明は、空気調和装置に関し、特に複数の箇所に供給する空気の温度及び湿度のばらつきを抑制するための技術に関する。
【背景技術】
【０００２】
半導体製造時のパターン形成工程においては、フォトリソグラフィが利用される場合がある。フォトリソグラフィでは、まず、ウェハに感光性のレジストが塗布された後、所望のパターンに応じた光がレジストに露光される。次いで、例えばレジストが光硬化型の感光材料である場合には、レジストにおける光が露光されていない領域が溶剤等により除去される。これにより、レジストに所望のパターンを形成（現像）することができる。
【０００３】
上述のようなフォトリソグラフィでは、レジストの温度及び湿度を均一に且つ所望の値に調節することが求められる。これは、ウェハ上のレジストの厚みを一定にするために要求される条件であり、半導体製造設備においては、この要求に対応する役目を空気調和装置が担っている。このような空気調和装置は、温度及び湿度を調節した空気をレジストの塗布を実行する装置（以下、レジスト塗布装置と呼ぶ。）に供給することにより、レジストの温調及び湿調を行う。この種の空気調和装置の分野では、温度及び湿度の制御精度を向上させるための技術が従来から数多く提案されている（例えば、特許文献１参照）。
【先行技術文献】
【特許文献】
【０００４】
【特許文献１】特開２００９−６３２４２号公報
【発明の概要】
【発明が解決しようとする課題】
【０００５】
ところで、半導体製造設備では、ウェハの処理枚数を増加させるべく、複数のレジスト塗布装置を集約させた大型の製造ユニットが導入される場合がある。この際、一つの空気調和装置に複数のダクト接続口を設け、これらダクト接続口に接続したダクトを通して、上記製造ユニット内の複数のレジスト塗布装置に温湿調した空気を同時に供給する場合がある。
【０００６】
しかしながら、複数のダクト接続口から流出される空気において温度差又は湿度差が生じている場合には、同一の製造ユニット内であっても、レジスト塗布装置毎にレジストの厚みが変わってしまう。その結果、完成した半導体部品の仕上がりにばらつきが発生するという問題が生じ得る。
【０００７】
上記の問題は、温湿調された空気を分布が生じないように攪拌することで緩和することが可能である。そのため、温湿調後の空気がダクト接続口に至るまでの経路の長さや、ダクト接続口に接続されるダクトの長さを長くするような対策を取れば、上述のような分布の発生を抑制することができる。しかしながら、この対策は、小型化が求められる場合や、ダクトの設置スペースに制約がある場合には、利用が困難となる。特に半導体製造設備では、空気調和装置が天井の低い場所に設置されることが多く、このような条件下では、上述の対策を利用することが困難となり、仮に利用したとしても分布の問題を十分に解消することができない場合がある。
【０００８】
本発明は、上記の実情に鑑みてなされたものであり、複数のダクト接続口から流出させる空気の間で生じ得る温度及び湿度のばらつきを、大型化を要求しない簡易的な構成で抑制することができる空気調和装置を提供することを目的とする。
【課題を解決するための手段】
【０００９】
本発明は、空気を通流させる空気通流路と、前記空気通流路内の空気を温度調節する温度調節部と、前記空気通流路内に蒸気を供給可能な加湿器と、前記空気通流路の下流側開口に接続される吸込み口を有するとともに、前記吸込み口から吸い込まれた空気を吐出する吐出口を有する送風機と、前記吐出口に接続される連通口を有するとともに、ダクトを接続可能に構成され且つ前記吐出口からの空気をダクトを介して外部へ流出させるための複数のダクト接続口を有するチャンバと、前記チャンバ内に設けられ、前記吐出口を通過する空気の流れ方向に沿って見た場合に、前記吐出口の少なくとも一部に重なる邪魔板部と、を備えている、ことを特徴とする空気調和装置、である。
【００１０】
本発明によれば、送風機の吐出口を通過した又は通過しようとしている空気が邪魔板部に衝突することで、空気の流れが変化し、またチャンバ内に乱流を生じさせることができる。このような空気の転向又は乱流によって、空気自体及び空気とこれに含まれる蒸気とをチャンバ内で攪拌することができる。これにより、複数のダクト接続口から流出させる空気の間で生じ得る温度及び湿度のばらつきを、大型化を要求しない簡易的な構成で抑制することができる。
【００１１】
本発明にかかる空気調和装置においては、前記邪魔板部が、前記吐出口を通過する空気の流れ方向に対して斜めに交差する方向に沿って延びていてもよい。
【００１２】
この場合、空気が邪魔板部に衝突することで生じる圧力損失を抑制することができ、攪拌作用を確保しつつ効率的にダクト接続口から空気を流出させることができる。
【００１３】
また本発明にかかる空気調和装置において、前記邪魔板部は、厚み方向に貫通する空気通過口を有するとともに、その外周縁の全体と前記チャンバの内周面との間が気密状態となるように、前記チャンバ内に設けられていてもよい。
【００１４】
この場合、邪魔板部の保持状態が安定し、且つ空気が空気通過口を通過して邪魔板部の下流側で膨張することで、空気自体及び空気と蒸気との攪拌を促進させることができる。
【００１５】
また本発明にかかる空気調和装置において、前記空気通過口は、前記吐出口を通過する空気の流れ方向に沿って見た場合に、一部分が前記吐出口に重なり、他の部分が前記吐出口に重ならないように設けられていてもよい。
【００１６】
この場合、邪魔板部によって転向し、その後、空気通過口の縁部分に衝突して下流側で乱流を生じさせる空気と、邪魔板部に衝突せずに空気通過口を通過する空気とが、混ざり合うことで、空気自体及び空気と蒸気との攪拌を効果的に促進させることができる。
【００１７】
また本発明にかかる空気調和装置において、前記空気通過口は、前記吐出口を通過する空気の流れ方向に沿って見た場合に、前記吐出口と重ならない位置に設けられていてもよい。
【００１８】
この場合、まず、吐出口からの空気の向きを邪魔板部によって転向し、その後、空気通過口の縁部分に衝突させて下流側で乱流を生じさせることができるため、空気自体及び空気と蒸気との攪拌を効果的に促進させることができる。
【００１９】
また本発明にかかる空気調和装置において、前記空気通過口は、前記邪魔板部の前記吐出口に近い側の端部よりも遠い側の端部に近い位置に設けられていてもよい。
【００２０】
この場合、空気が邪魔板部の上流側で停滞する状態が発生することが抑制され、吐出口から空気通過口へ空気がスムーズに流れることで、圧力損失を抑制でき、送風機を効率的に運転させることができる。
【００２１】
また本発明にかかる空気調和装置において、前記送風機は、羽根車と、前記羽根車を収容し且つ前記吸込み口を前記羽根車の軸方向に沿って貫通させるスパイラルケーシング部と、前記スパイラルケーシング部から延び、その先端に前記吐出口を有するダクト部と、を備える遠心送風機であり、前記ダクト部は、前記スパイラルケーシング部の渦巻き状の内周面の巻き始め部及び巻き終わり部に接続されており、前記邪魔板部は、前記羽根車の軸方向に沿って見た場合に、その前記巻き始め部側の端部が、その反対側の端部よりも前記吐出口に近くなるように傾斜していてもよい。
【００２２】
この場合、空気が邪魔板部に衝突した際に、空気の過剰な方向転換が抑制され得るため、圧力損失の過度の増大を抑制することができ、攪拌作用と空気の効率的な流通とを好適に確保することができる。
【００２３】
また本発明にかかる空気調和装置において、前記空気通流路、前記温度調節部、前記加湿器、及び前記送風機は、筐体の内部に収容されており、前記チャンバは、前記筐体の内部に収容され且つ前記連通口が設けられる上流側半体と、前記筐体の外部に配置される下流側半体と、を有し、前記ダクト接続口は、前記下流側半体に設けられていてもよい。
【００２４】
この場合、上流側半体と下流側半体とでチャンバを構成することにより、チャンバの内部空間を広く確保し易くなり、またダクト接続口の位置、開口方向、及び個数の自由度が高くなるため、空気供給の自由度も向上させることができる。
【００２５】
また本発明にかかる空気調和装置において、前記邪魔板部は、前記チャンバにおける前記連通口の周縁部に固定され、前記邪魔板部のうちの少なくとも前記吐出口と重なる部分は、前記吐出口を通過する空気の流れ方向に対して直交する方向に沿って延びていてもよい。
【００２６】
この場合、極めて簡易な構造で、空気の転向又は乱流を生じさせ、これによって、空気自体及び空気とこれに含まれる蒸気とをチャンバ内で攪拌することができる。
【００２７】
この際、前記チャンバにおける前記連通口の周縁部に、前記邪魔板部を取り付けるための複数の取り付け部が間隔を空けて設けられていてもよい。
【００２８】
この場合、複数の取り付け部によって種々の向きに邪魔板部を設置することが可能となることで、攪拌作用と空気の効率的な流通との調節を柔軟に行うことが可能となり、使い勝手を向上させることができる。
【００２９】
また本発明にかかる空気調和装置において、前記邪魔板部は、前記連通口の周縁部の全周を覆うように固定されたパンチングプレートにより構成されていてもよい。
【００３０】
この場合、吐出口を通過しようとしている空気の向きを、広範囲にわたって転向でき、かつ広範囲に乱流を生じさせることができる。
【発明の効果】
【００３１】
本発明によれば、複数のダクト接続口から流出させる空気の間で生じ得る温度及び湿度のばらつきを、大型化を要求しない簡易的な構成で抑制することができる。
【図面の簡単な説明】
【００３２】
【図１】本発明の第１の実施の形態にかかる空気調和装置の斜視図である。
【図２】図１に示す空気調和装置の側面図である。
【図３】図１に示す空気調和装置の送風機及びチャンバの斜視図である。
【図４】図１に示す空気調和装置の送風機及びチャンバの概略図である。
【図５】図１に示す空気調和装置のチャンバの斜視図である。
【図６】図５の矢印ＶＩ方向に沿って見た際のチャンバを示す図である。
【図７】本発明の第１の実施の形態の一変形例にかかる空気調和装置のチャンバの斜視図である。
【図８】図７の矢印ＶＩＩＩ方向に沿って見た際のチャンバを示す図である。
【図９】本発明の第２の実施の形態にかかる空気調和装置の斜視図である。
【図１０】図９に示す空気調和装置のチャンバの斜視図である。
【図１１】図９に示す空気調和装置の送風機及びチャンバの概略図である。
【図１２】本発明の第２の実施の形態の一変形例にかかる空気調和装置のチャンバを示す図である。
【図１３】本発明の第２の実施の形態の他の変形例にかかる空気調和装置のチャンバを示す図である。
【図１４】本発明の第３の形態にかかる空気調和装置の斜視図である。
【発明を実施するための形態】
【００３３】
以下に、添付の図面を参照して、本発明の一実施の形態を詳細に説明する。
【００３４】
（第１の実施の形態）
図１は、本発明の第１の実施の形態にかかる空気調和装置１の斜視図であり、図２は、空気調和装置１の側面図である。空気調和装置１は、内部に複数の部材を収容する直方体状の筐体１Ａを備え、図２においては、筐体１Ａが取り外された状態の空気調和装置１の側面図が示されている。
【００３５】
図２に示すように、本実施の形態にかかる空気調和装置１は、空気を通流させる空気通流路２と、空気通流路２に設けられた温度調節部に対応する冷却器３及び加熱器４と、空気通流路２に設けられた加湿器５と、空気通流路２において空気を通流させるための駆動力を付与する送風機６と、送風機６から吐出される空気を受け入れた後に外部に流出させるためのチャンバ７と、を備えている。このうち、空気通流路２、冷却器３、加熱器４、加湿器５及び送風機６は、筐体１Ａ内に収容されており、チャンバ７は筐体１Ａの上部に設けられ、その下部が筐体１Ａ内に収容され、その上部を筐体１Ａの外部に露出させている。
【００３６】
空気通流路２は、上下方向に沿って延びる管状の縦流路部２１と、縦流路部２１の上部に連通し当該上部から水平方向に沿って延びる管状の水平流路部２２と、を有している。以下の説明では、水平方向に沿って図１の紙面左右方向に延びる方向を、第１方向Ｄ１と呼び、水平方向に沿って第１方向Ｄ１と直交し且つ水平流路部２２がその軸方向に沿って延びる方向を、第２方向Ｄ２と呼ぶ。
【００３７】
縦流路部２１は、その下部に、水平方向に沿って開口する上流側開口２１Ａを設けられ、本実施の形態では、上流側開口２１Ａが、縦流路部２１の内部から第２方向Ｄ２の一方側（図２の左方向）へ向けて開口している。上流側開口２１Ａは、縦流路部２１の内部に空気を取り込むために設けられ、本実施の形態では、上流側開口２１Ａの外側に設けられたフィルタ装置２３が、上流側開口２１Ａを覆っている。これにより、フィルタ装置２３を通ってパーティクルを除去された空気が、上流側開口２１Ａから縦流路部２１の内部に取り込まれることになる。また、水平流路部２２は、縦流路部２１側とは反対側の端部に、すなわち第２方向Ｄ２の他方側の端部に、下流側開口２２Ａを設けられ、下流側開口２２Ａを介して送風機６と連通している。
【００３８】
本実施の形態においては、冷却器３が縦流路部２１の下部内に設けられ、加熱器４が縦流路部２１の上部内に設けられている。冷却器３は、圧縮機、凝縮器、膨張弁及び蒸発器が熱媒体を循環させるように当該順序で配管により接続された冷却回路における蒸発器であってもよい。また加熱器４は、電気ヒータ等であってもよいし、上述の冷却回路において高温となった熱媒体の一部を利用するものであってもよい。冷却器３は、可変の冷凍能力で空気通流路２の内部の空気を冷却可能となっており、加熱器４は、可変の加熱能力で空気通流路２の内部の空気を加熱可能となっている。これら冷却器３及び加熱器４によって、空気通流路２内の空気が温度調節されることになる。
【００３９】
また加湿器５は、水平流路部２２に設けられ、空気通流路２内に蒸気を供給可能となっている。すなわち、本実施の形態においては、加湿器５が、水平方向で加熱器４と送風機６との間に配置されている。加湿器５は、例えば、上方に向けて水平流路部２２の内部に開放した水を貯留する貯留槽と、当該貯留槽内の水を加熱するヒータと、を有し、ヒータによって蒸気の量を調節することで、空気通流路２内の空気の湿度を調節可能となっている。
【００４０】
図３は、送風機６及びチャンバ７の斜視図であり、図４は、送風機６の回転軸に沿って見た際の送風機６及びチャンバ７の概略図である。図２乃至図４に示すように、本実施の形態における送風機６は、空気通流路２の下流側開口２２Ａに接続される吸込み口６Ａ（図２参照）を有するとともに、吸込み口６Ａから吸い込まれた空気を吐出する吐出口６Ｂを有している。詳しくは、本実施の形態における送風機６は、遠心送風機であって、羽根車６１と、羽根車６１を収容し且つ上述の吸込み口６Ａを羽根車６１の軸方向Ｌ１に沿って貫通させるスパイラルケーシング部６２と、スパイラルケーシング部６２から延び、その先端に上述の吐出口６Ｂを有するダクト部６３と、を備えている。図３に示すように、ダクト部６３は管状であり、一例として本実施の形態では角管状に形成されているが、このような形状は特に限られるものではない。
【００４１】
図４に示すように、スパイラルケーシング部６２は、吸込み口６Ａから吐出口６Ｂに向けた空気の流路を画成する渦巻き状の内周面６２Ａを有するとともに、内周面６２Ａがその巻き始め部６２Ｓから巻き終わり部６２Ｅにわたって羽根車６１を囲い込むように構成された周板部６２１と、周板部６２１の軸方向Ｌ１における両側に固定され、羽根車６１を軸方向Ｌ１で覆う一対の側板部６２２と、を有し、上述のダクト部６３は、巻き始め部６２Ｓ、巻き終わり部６２Ｅ及びこれらの間に位置する側板部６２２の縁部に接続されてスパイラルケーシング部６２から延びている。なお、上述の吸込み口６Ａは一対の側板部６２２のうちの一方に形成され、一対の側板部６２２のうちの他方には、羽根車６１を回転駆動するためのモータ６４が設けられている。また本実施の形態では、ダクト部６３が上方に向けて延びることで、吐出口６Ｂが上方に向けて開口する。これにより、本実施の形態では、吐出口６Ｂがチャンバ７に上下方向で接続している。
【００４２】
このような送風機６は、羽根車６１を回転させることにより、空気通流路２の内部の空気をその内部に取り込んで、上方に向けて開口する吐出口６Ｂから空気をチャンバ７内へ吐出する。ここで、送風機６が空気通流路２の内部の空気を取り込むことで、外部の空気が、上流側開口２１Ａから空気通流路２の内部に取り込まれる。これにより、空気通流路２において空気が通流することになる。
【００４３】
チャンバ７は、図１乃至図４に示すように、送風機６の吐出口６Ｂに接続される連通口７Ａを有するとともに、ダクト（図示省略）を接続可能に構成され且つ吐出口６Ｂからの空気をダクトを介して外部へ流出させるための複数のダクト接続口７Ｂを有している。詳しくは、本実施の形態におけるチャンバ７は、筐体１Ａの内部に収容され且つ連通口７Ａが設けられる上流側半体７１と、筐体１Ａの上部外面から突出するように筐体１Ａの外部に配置される下流側半体７２と、を有し、ダクト接続口７Ｂは、このうちの下流側半体７２に設けられている。図示の例においては、結合された上流側半体７１と下流側半体７２とが、直方体状をなすように構成され、これらはボルト等の締結手段によって分離可能に結合されている。また本例では、連通口７Ａが吐出口６Ｂと同様の形状とされ、連通口７Ａ及び吐出口６Ｂは互い整合した状態で接続されている。なお、連通口７Ａは、吐出口６Ｂよりも大きくてもよく、吐出口６Ｂを囲うようにして吐出口６Ｂに接続されてもよい。
【００４４】
図５は、チャンバ７のうちの上流側半体７１の斜視図であり、図６は、図５の矢印ＶＩ方向に沿って見た際のチャンバ７を示す図であり、図５及び図６には、説明の便宜上、吐出口６Ｂが破線で図示されている。ここで、図３乃至６に示すように、本実施の形態では、邪魔板部８がチャンバ７のうちの上流側半体７１内に設けられ、この邪魔板部８は板状の部材であって、吐出口６Ｂを通過する空気の流れ方向に沿って見た場合に、吐出口６Ｂの少なくとも一部（本例では、一部）に重なっている。ここで、「吐出口６Ｂを通過する空気の流れ方向」とは、吐出口６Ｂの中心、及び吐出口６Ｂと同一又は相似形状となるダクト部６３の連続する各断面の中心を通る軸線Ｆ１上に延びる方向を意味している。
【００４５】
詳しくは、本実施の形態では、図４に示すように、ダクト部６３のうちの、巻き始め部６２Ｓとの接続点Ｐ１と、当該接続点Ｐ１に、吐出口６Ｂの全周縁部を含む平面に平行な方向で対向する点Ｐ２と、を含む部分から、吐出口６Ｂに至るまでの部分６３Ａが、吐出口６Ｂと同一又は相似形状となる連続する断面を有している。このような連続する断面の中心、及び吐出口６Ｂの中心を通る図４及び図６等に示す軸線Ｆ１上に延びる方向が、本実施の形態では、「吐出口６Ｂを通過する空気の流れ方向」に対応している。
【００４６】
邪魔板部８について詳述すると、図４及び図５に示すように、本実施の形態における邪魔板部８は、吐出口６Ｂを通過する空気の流れ方向、すなわち軸線Ｆ１に対して斜めに交差する方向に沿って延びており、とりわけ図４に示すように、羽根車６１の軸方向Ｌ１に沿って見た場合に、その前記巻き始め部６２Ｓ側の端部８Ａが、その反対側の端部８Ｂよりも吐出口６Ｂに近くなるように傾斜している。また邪魔板部８は、厚み方向に貫通する空気通過口８１を有するとともに、邪魔板部８の外周縁の全体とチャンバ７、詳しくは上流側半体７１の内周面との間が気密状態となるように、上流側半体７１内に設けられている。本実施の形態では、上流側半体７１の内周面に内側に突出する段部が設けられ、この段部に邪魔板部８に載置されることで、邪魔板部８が傾斜状態で支持される。このような邪魔板部８の支持態様は、その他の態様であってもよいことは言うまでもない。
【００４７】
また図６に示すように、空気通過口８１は、吐出口６Ｂを通過する空気の流れ方向に沿って見た場合に、一部分が吐出口６Ｂに重なり、他の部分が吐出口６Ｂに重ならないように設けられている。また空気通過口８１は、図４に示すように、邪魔板部８の吐出口６Ｂに近い側の端部８Ａよりも遠い側の端部８Ｂに近い位置に設けられている。
【００４８】
上述のような邪魔板部８が設けられることで、本実施の形態では、送風機６の吐出口６Ｂから上流側半体７１に吐出された空気が、邪魔板部８の空気通過口８１を介して、下流側半体７２に流入することになる。そして下流側半体７２に流入した空気は、ダクト接続口７Ｂから流出する。図１に示すように、本例では、８個のダクト接続口７Ｂが設けられ、下流側半体７２の上壁部、第１方向Ｄ１の一方側を向く壁部、及び第２方向Ｄ２の他方側を向く壁部のそれぞれに複数のダクト接続口７Ｂが設けられている。なお、このようなダクト接続口７Ｂの数や開口方向は特に限られるものではない。各ダクト接続口７Ｂは、ダクトを接続可能であり、各ダクトを複数の温度制御対象領域に接続することで、空気調和装置１から複数の温度制御対象領域に温度及び湿度が調節された空気を供給することが可能となる。
【００４９】
次に、本実施の形態の作用について説明する。
【００５０】
本実施の形態にかかる空気調和装置１では、送風機６が、羽根車６１を回転させることにより、外部の空気が、空気通流路２の上流側開口２１Ａから空気通流路２の内部に取り込まれる。これにより、空気通流路２において空気が通流する。空気通流路２内に取り込まれた空気は、まず、冷却器３によって冷却され、次いで、加熱器４によって加熱され、所望の温度に調節される。その後、空気は、加湿器５の上方を通過し、その湿度が調節される。
【００５１】
その後、空気は、送風機６内で羽根車６１によって回転されて吐出口６Ｂから吐出される。そして送風機６の吐出口６Ｂから上流側半体７１に吐出された空気は、邪魔板部８の空気通過口８１を介して、下流側半体７２に流入する。そして下流側半体７２に流入した空気は、ダクト接続口７Ｂから流出する。ここで、上述のように空気が送風機６の吐出口６Ｂから上流側半体７１に吐出される際に、本実施の形態では、図４の矢印に示すように、空気が邪魔板部８に衝突することで、空気の流れが変化し、チャンバ７内に乱流を生じさせることができる。このような空気の転向又は乱流によって、空気自体及び空気とこれに含まれる蒸気とをチャンバ７内で攪拌することができる。これにより、複数のダクト接続口７Ｂから流出させる空気の間で生じ得る温度及び湿度のばらつきを、大型化を要求しない簡易的な構成によって抑制することができる。
【００５２】
以上に説明したように本実施の形態にかかる空気調和装置１は、空気通流路２と、空気通流路２内の空気を温度調節する温度調節部に対応する冷却器３及び加熱器４と、空気通流路２内に蒸気を供給可能な加湿器５と、空気通流路２の下流側開口２２Ａに接続される吸込み口６Ａを有するとともに、吸込み口６Ａから吸い込まれた空気を吐出する吐出口６Ｂを有する送風機６と、吐出口６Ｂに接続される連通口７Ａを有するとともに、ダクトを接続可能に構成され且つ吐出口６Ｂからの空気をダクトを介して外部へ流出させるための複数のダクト接続口７Ｂを有するチャンバ７と、チャンバ７内に設けられ、吐出口６Ｂを通過する空気の流れ方向に沿って見た場合に、吐出口６Ｂの少なくとも一部に重なる邪魔板部８と、を備えている。これにより、複数のダクト接続口７Ｂから流出させる空気の間で生じ得る温度及び湿度のばらつきを、大型化を要求しない簡易的な構成によって抑制することができるようになる。
【００５３】
また本実施の形態では、邪魔板部８が、吐出口６Ｂを通過する空気の流れ方向に対して斜めに交差する方向に沿って延びている。これにより、空気が邪魔板部８に衝突することで生じる圧力損失を抑制することができ、攪拌作用を確保しつつ効率的にダクト接続口７Ｂから空気を流出させることができる。
【００５４】
とりわけ、本実施の形態では、送風機６が遠心送風機であり、邪魔板部８は、羽根車６１の軸方向Ｌ１に沿って見た場合に、その前記巻き始め部６２Ｓ側の端部８Ａが、その反対側の端部８Ｂよりも吐出口６Ｂに近くなるように傾斜している、これにより、空気が邪魔板部８に衝突した際に、空気の過剰な方向転換が抑制され得るため、圧力損失の過度の増大を抑制することができ、攪拌作用と空気の効率的な流通とを好適に確保することができる。すなわち、遠心送風機から吐出される空気は、巻き終わり部６２Ｅ側へ進む成分を含む傾向となるが、本実施の形態の構成では、このような傾向で流れる空気の方向が邪魔板部８の傾斜方向に近くなり、空気の過剰な方向転換が抑制され得ることで、圧力損失の過度の増大を抑制することができるようになる。
【００５５】
また本実施の形態における邪魔板部８は、厚み方向に貫通する空気通過口８１を有するとともに、その外周縁の全体とチャンバ７（上流側半体７１）の内周面との間が気密状態となるように、チャンバ７内に設けられている。これにより邪魔板部８の保持状態が安定し、且つ空気が空気通過口８１を通過して邪魔板部８の下流側で膨張する。その結果、空気自体及び空気と蒸気との攪拌を促進させることができる。
【００５６】
また空気通過口８１は、吐出口６Ｂを通過する空気の流れ方向に沿って見た場合に、一部分が吐出口６Ｂに重なり、他の部分が吐出口６Ｂに重ならないように設けられている。これにより、邪魔板部８によって転向し、その後、空気通過口８１の縁部分に衝突して下流側で乱流を生じさせる空気と、邪魔板部８に衝突せずに空気通過口８１を通過する空気とが、混ざり合う。これにより、空気自体及び空気と蒸気との攪拌を効果的に促進させることができる。
【００５７】
また空気通過口８１は、邪魔板部８の吐出口６Ｂに近い側の端部８Ａよりも遠い側の端部８Ｂに近い位置に設けられているため、空気が邪魔板部８の上流側で停滞する状態が発生することが抑制され、吐出口６Ｂから空気通過口８１へ空気がスムーズに流れることで、圧力損失を抑制でき、送風機６を効率的に運転させることができる。
【００５８】
以下では、第１の実施の形態の一変形例について図７及び図８を参照しつつ説明する。図７は、本変形例にかかる空気調和装置のチャンバ７の斜視図であり、図８は、図７の矢印ＶＩＩＩ方向に沿って見た際のチャンバ７を示す図である。なお、本変形例における上述の第１の実施の形態と同様の構成部分については、同一の符号を付して、説明を省略する。
【００５９】
図示の変形例においては、邪魔板部８における空気通過口８１が、吐出口６Ｂを通過する空気の流れ方向に沿って見た場合に、吐出口６Ｂと重ならない位置に設けられている。その他の構成は、上述の第１の実施の形態と同様である。このような構成によれば、まず、吐出口６Ｂからの空気の向きを邪魔板部８によって転向し、その後、空気通過口８１の縁部分に衝突させて下流側で乱流を生じさせることができる。これにより、空気自体及び空気と蒸気との攪拌を効果的に促進させることができるという利点がある。
【００６０】
（第２の実施の形態）
次に、本発明の第２の実施の形態にかかる空気調和装置について図９乃至図１１を参照しつつ説明する。図９は、第２の実施の形態にかかる空気調和装置の斜視図であり、図１０は、第２の実施の形態にかかるチャンバの斜視図であり、図１１は、第２の実施の形態にかかる送風機及びチャンバの概略図である。なお、本実施の形態における上述の第１の実施の形態と同様の構成部分については、同一の符号を付して、説明を省略する。
【００６１】
図９乃至図１１に示すように、第２の実施の形態では、チャンバ７の上壁部が筐体１Ａの上部外面と面一となるように、チャンバ７が筐体１Ａの内部に配置されている。またチャンバ７の上壁部に、複数のダクト接続口７Ｂが設けられている。またチャンバ７内に設けられる邪魔板部８は、チャンバ７における連通口７Ａの周縁部に固定され、吐出口６Ｂを通過する空気の流れ方向で邪魔板部８のうちの少なくとも吐出口６Ｂと重なる部分が、当該吐出口６Ｂを通過する空気の流れ方向（軸線Ｆ１）に対して直交する方向に沿って延びている。
【００６２】
また、チャンバ７における連通口７Ａの周縁部に、邪魔板部８を取り付けるための複数の取り付け部９１が間隔を空けて設けられている。取り付け部９１は例えばボルト孔であってもよい。
【００６３】
以上に説明した第２の実施の形態によれば、図１１に示すように、送風機６の吐出口６Ｂを通過しようとしている空気が邪魔板部８に衝突することで、空気の流れが変化し、チャンバ７内に乱流を生じさせることができる。これにより、極めて簡易な構造で、空気の転向又は乱流を生じさせ、これによって、空気自体及び空気とこれに含まれる蒸気とをチャンバ７内で攪拌することができるようになる。
【００６４】
また、チャンバ７における連通口７Ａの周縁部に、邪魔板部８を取り付けるための複数の取り付け部９１が設けられている。これにより、複数の取り付け部９１によって種々の向きに邪魔板部８を設置することが可能となることで、攪拌作用と空気の効率的な流通との調節を柔軟に行うことが可能となり、使い勝手を向上させることができる。
【００６５】
以下では、第２の実施の形態の変形例について図１２及び図１３を参照しつつ説明する。図１２は、第２の実施の形態の一変形例にかかるチャンバ７を示す図である。図１３は、第２の実施の形態の他の変形例にかかるチャンバ７を示す図である。
【００６６】
図１２に示す変形例では、チャンバ７における連通口７Ａの周縁部に、二つの邪魔板部８が設けられている。このように邪魔板部８の数は特に限られるものではない。
【００６７】
図１３に示す変形例では、邪魔板部８が、連通口７Ａの周縁部の全周を覆うように固定されたパンチングプレートにより構成されている。すなわち、邪魔板部８は複数のパンチング孔を有してなる。この場合、吐出口６Ｂを通過しようとしている空気の向きを、広範囲にわたって転向でき、かつ広範囲に乱流を生じさせることができる。
【００６８】
（第３の実施の形態）
次に、本発明の第３の実施の形態にかかる空気調和装置について図１４を参照しつつ説明する。図１４に示すように、本実施の形態では、チャンバ７におけるダクト接続口７Ｂが設けられる壁部が筐体１Ａの側部外面と面一となるように、チャンバ７が筐体１Ａの内部に配置されている。この実施の形態に示されるように、チャンバ７の位置は、特に限られるものではない。
【００６９】
以上、本発明の複数の実施の形態を説明したが、本発明は、上述の実施の形態に限定されるものではなく、各実施の形態には、上述した変形例とは異なる種々の変更を加えることができる。
【符号の説明】
【００７０】
１…空気調和装置、２…空気通流路、３…冷却器、４…加熱器、５…加湿器、６…送風機、６Ａ…吸込み口、６Ｂ…吐出口、６１…羽根車、６２…スパイラルケーシング部、６２Ｓ…巻き始め部、６２Ｅ…巻き終わり部、６２１…周板部、６３…ダクト部、７…チャンバ、７Ａ…連通口、７Ｂ…ダクト接続口、７１…上流側半体、７２…下流側半体、８…邪魔板部、８Ａ，８Ｂ…端部、８１…空気通過口、９１…取り付け部
【図１】
2018132233.tif 000003
【図２】
2018132233.tif 000004
【図３】
2018132233.tif 000005
【図４】
2018132233.tif 000006
【図５】
2018132233.tif 000007
【図６】
2018132233.tif 000008
【図７】
2018132233.tif 000009
【図８】
2018132233.tif 000010
【図９】
2018132233.tif 000011
【図１０】
2018132233.tif 000012
【図１１】
2018132233.tif 000013
【図１２】
2018132233.tif 000014
【図１３】
2018132233.tif 000015
【図１４】
2018132233.tif 000016